(57)【要約】【課題】  工事や構造の簡素化を図ることのできる安価な住宅用の免震パッドを提供する。【解決手段】  個人住宅の基礎１と土台２との間に介在される弾性の積層体１０と、この積層体１０に設けられる柱体２０とを備え、積層体１０を、対向する一対の免震マット１１と、この一対の免震マット１１の上下間に並べて介在される複数の免震ゴム１２と、この免震ゴム１２に貼着される補強板１３とから構成するとともに、この積層体１０の上下厚さ方向に複数の収納穴１４を穿孔して各収納穴１４に複数の球体１５を内蔵する。そして、柱体２０を、積層体１０の上下厚さ方向に貫通して挿着されるゴム柱２１と、このゴム柱２１内の上下方向にインサートされる複数本のワイヤ２２と、免震マット１１から露出したゴム柱２１の上下両端部にそれぞれ内蔵されるナット２３とから構成する。【選択図】  図１
2006118326.tif 000002
【特許請求の範囲】
【請求項１】
住宅に設置されて地震エネルギを吸収する住宅用の免震パッドであって、
住宅の基礎と土台との間に介在される積層体と、この積層体に設けられる柱体とを含み、
積層体を、対向する複数の免震マットと、この複数の免震マットの上下間に並べて介在される複数の免震ゴムと、この免震ゴムを補強する補強板とから構成するとともに、この積層体の上下厚さ方向に収納穴を設けて球体を内蔵し、
柱体を、積層体の上下厚さ方向に貫通して設けられる弾性柱体と、この弾性柱体の上下部にそれぞれ設けられる締結具とから構成したことを特徴とする住宅用の免震パッド。
【請求項２】
積層体の収納穴を複数の空間に区画して各空間に球体を内蔵した請求項１記載の住宅用の免震パッド。
【請求項３】
柱体の弾性柱体に補強用のワイヤを設けた請求項１又は２記載の住宅用の免震パッド。
【請求項４】
弾性柱体の上下部に雌螺子部材をそれぞれ内蔵し、弾性柱体の下部の雌螺子部材に、住宅の基礎に固定されるアンカーボルトを螺子嵌めした請求項１、２、又は３記載の住宅用の免震パッド。
【請求項５】
弾性柱体の上部の雌螺子部材に、住宅の土台を貫通する雄螺子部材を螺子嵌めした請求項４記載の住宅用の免震パッド。
【請求項６】
弾性柱体内に、複数のロックブロックを上下方向にスライド可能に積み重ね、各ロックブロックの上部に、被嵌合穴を設けるとともに、各ロックブロックの下部に、下方のロックブロックの被嵌合穴に着脱自在に嵌まる突部を設け、この突部には、外力の非作用時に突出して上下のロックブロックを連結し、外力の作用時に退没して上下のロックブロックの連結を解除する係止爪を設けた請求項１ないし５いずれかに記載の住宅用の免震パッド。
【発明の詳細な説明】
【技術分野】
【０００１】
本発明は、個人住宅に設置されて地震エネルギを吸収する住宅用の免震パッドに関する
ものである。
【背景技術】
【０００２】
近年、地震や震災に伴う人的被害や経済的損失に鑑み、高層建築物のみならず、個人住
宅にも優れた免震構造が要求されている（特許文献１参照）。
この個人住宅用の免震構造としては、図示しないが、例えば個人住宅の地盤と構造体と
の間に、スライダーとゴム複合層とを並べて介在させる構造が知られている（特許文献２
参照）。
【特許文献１】特開平１０‐１８４０９６号公報
【特許文献２】特開２００３‐２１３９６１号公報
【発明の開示】
【発明が解決しようとする課題】
【０００３】
従来における個人住宅用の免震構造は、以上のように個人住宅の地盤と構造体との間に
、スライダーとゴム複合層とを並べているが、これでは建物を支える土台を鉄骨としなけ
ればならず、工事が非常に大掛かりになるという問題がある。
また、構造が複雑な関係上、住宅の購入金額が著しく高価になり、資金の豊富な法人が
購入する場合はともかく、個人が購入する場合には大きな問題となり、住宅購入意欲の萎
縮を招くおそれが少なくない。
【０００４】
本発明は上記に鑑みなされたもので、工事や構造の簡素化を図ることのできる安価な住
宅用の免震パッドを提供することを目的としている。
【課題を解決するための手段】
【０００５】
本発明においては上記課題を解決するため、住宅に設置されて地震エネルギを吸収する
ものであって、
住宅の基礎と土台との間に介在される積層体と、この積層体に設けられる柱体とを含み
、積層体を、対向する複数の免震マットと、この複数の免震マットの上下間に並べて介在
される複数の免震ゴムと、この免震ゴムを補強する補強板とから構成するとともに、この
積層体の上下厚さ方向に収納穴を設けて球体を内蔵し、
柱体を、積層体の上下厚さ方向に貫通して設けられる弾性柱体と、この弾性柱体の上下
部にそれぞれ設けられる締結具とから構成したことを特徴としている。
【０００６】
なお、積層体の収納穴を複数の空間に区画して各空間に球体を内蔵することができる。
また、柱体の弾性柱体に補強用のワイヤを設けることができる。
また、弾性柱体の上下部に雌螺子部材をそれぞれ内蔵し、弾性柱体の下部の雌螺子部材
に、住宅の基礎に固定されるアンカーボルトを螺子嵌めすることが好ましい。
また、弾性柱体の上部の雌螺子部材に、住宅の土台を貫通する雄螺子部材を螺子嵌めす
ることが好ましい。
【０００７】
さらに、弾性柱体内に、複数のロックブロックを上下方向にスライド可能に積み重ね、
各ロックブロックの上部に、被嵌合穴を設けるとともに、各ロックブロックの下部に、下
方のロックブロックの被嵌合穴に着脱自在に嵌まる突部を設け、この突部には、外力の非
作用時に突出して上下のロックブロックを連結し、外力の作用時に退没して上下のロック
ブロックの連結を解除する係止爪を設けることができる。
【０００８】
ここで、特許請求の範囲における基礎には、独立基礎やベタ基礎が含まれる。積層体に
ついては、被覆ゴムによりカバーし、免震ゴムと補強板の接着性の低下を抑制することが
できる。住宅の土台に接触する免震マットの接触面には、通気や排水機能を営む単数複数
の溝を縦方向、横方向、縦横方向等に適宜凹み形成することができる。また、柱体は、円
柱形、角柱形、多角形の柱、円筒形、筒形、中空、中実等に形成され、積層体と一体的に、あるいは別体として単数複数設けられる。
【０００９】
収納穴、球体、ワイヤは単数複数いずれでも良い。締結具には、少なくとも各種のボル
ト、ナット、ワッシャ、スペーサ等が含まれる。雌螺子部材には、各種のナットやこれに
類する螺子具が含まれる。アンカーボルトには、各種のタイプが含まれ、少なくとも直線
的なタイプや略Ｊ字形等のタイプが含まれる。さらに、雄螺子部材には、各種のボルトや
これに類する螺子具が含まれる。
【発明の効果】
【００１０】
本発明によれば、住宅の基礎と土台との間に介在される積層体と、この積層体に設けられる柱体とを含み、積層体を、対向する複数の免震マットと、この複数の免震マットの上下間に並べて介在される複数の免震ゴムと、この免震ゴムを補強する補強板とから構成するとともに、この積層体の上下厚さ方向に収納穴を設けて球体を内蔵し、柱体を、積層体の上下厚さ方向に貫通して設けられる弾性柱体と、この弾性柱体の上下部にそれぞれ設けられる締結具とから構成するので、工事や構造の簡素化を図ることができるという効果がある。
また、積層体の収納穴を複数の空間に区画して各空間に球体を内蔵すれば、収納穴の一
空間に球体を単に内蔵する場合に比べ、地震エネルギの減衰がより一層期待できる。
また、柱体の弾性柱体に補強用のワイヤを設ければ、地震に伴い柱体が必要以上に変形
して損傷するのを防ぐことができる。
【００１１】
また、弾性柱体の上下部に雌螺子部材をそれぞれ内蔵し、弾性柱体の下部の雌螺子部材
に、住宅の基礎に固定されるアンカーボルトを螺子嵌めするようにすれば、アンカーボル
トが着脱自在なので、輸送時や運搬時の便宜を図ることができる。
また、弾性柱体の上部の雌螺子部材に、住宅の土台を貫通する雄螺子部材を螺子嵌めす
るようにすれば、雄螺子部材が着脱自在となるので、輸送時や運搬時の便宜を図ることが
できる。
【発明を実施するための最良の形態】
【００１２】
以下、図面を参照して本発明の好ましい実施の形態を説明すると、本実施形態における
住宅用の免震パッドは、図１ないし図４に示すように、個人住宅の基礎１と土台２との間
に介在される弾性の積層体１０と、この積層体１０に設けられる弾性変形可能な柱体２０
とを備え、個人住宅に複数個設置されて地震エネルギを吸収する。
【００１３】
個人住宅は、図３に示すように、コンクリートにより打設された横断面矩形の基礎１に
、木製の角材からなる土台２が搭載され、この土台２に図示しない大引きや根太等が支持
される。土台２には、建築作業前あるいは建築作業時に丸い貫通孔３がドリル等により穿
孔される。
【００１４】
積層体１０は、図１〜図３に示すように、上下方向に間隔をおいて相対向する一対の免
震マット１１と、この一対の免震マット１１の上下間に並べて介在される複数の免震ゴム
１２と、免震ゴム１２に貼着される補強板１３とから水平変形能力を有する略サンドイッ
チ構造に構成され、複数の免震ゴム１２と補強板１３の上下厚さ方向に、左右一対の収納
穴１４がそれぞれ丸く穿孔されており、各収納穴１４には複数の球体１５が移動可能に内
蔵される。
【００１５】
一対の免震マット１１は、図２に示すように、所定の金属やゴムを使用して基礎１や土
台２と略同じ大きさに成形され、広い接触面積を確保する。各免震マット１１は、図１や
図２に示すように、例えば弾性や機械的性質に優れ、振動による発熱の少ない天然ゴム、
耐老化性や耐油性に優れるクロロプレンゴム、エチレン−プロピレンゴム、アクリロニト
リル−ブタジエンゴム等を使用して平面長方形の板に形成される。
【００１６】
免震ゴム１２と補強板１３とは、同図に示すように、水平方向に指向した状態で上下方
向に交互に積層される。各免震ゴム１２は、弾性や機械的性質に優れるポリウレタンゴム
、天然ゴム、シリコーンゴム等を使用して平面長方形の薄板に形成される。各補強板１３
は、所定の樹脂材料や金属板、鋼板、錆に強いＳＵＳ等を使用して柔軟な免震ゴム１２と
同じ大きさに形成され、接着した免震ゴム１２の横方向への動きを規制して鉛直方向に対
して大きな剛性（ばね定数）を確保するよう機能する。
【００１７】
収納穴１４は、その内部上下方向が複数の任意の補強板１３により複数の空間（例えば
、上下３段）に区画され、各空間に複数の球体１５が内蔵される。複数の球体１５は、各
球体１５が鉄球や鋼球等からなり、図１や図２に示すように一対の免震マット１１間に規則的あるいは不規則に充填されるとともに、補強板１３に転がり接触可能に接触し、地震の発生時に地震エネルギを吸収して積層体１０の上方を静止し、積層体１０の下方を移動させる。
【００１８】
柱体２０は、図３や図４に示すように、積層体１０の中央部の上下厚さ方向に貫通して
挿着される上下方向に伸縮可能なゴム柱２１と、インサート成形等の方法によりゴム柱２
１内の上下方向にインサートされる複数本のワイヤ２２と、免震マット１１から露出した
ゴム柱２１の上下両端部にそれぞれ内蔵される一対のナット２３とから構成される。
【００１９】
ゴム柱２１は、弾性や機械的性質に優れるポリウレタンゴム、耐久性に優れる天然ゴム
、シリコーンゴム等を使用して中実の円柱形に形成され、上下両端部にナット２３用の内蔵穴がそれぞれ形成される。一対のナット２３は、例えば回転の規制が容易な六角ナットからなり、下部のナット２３に未硬化の基礎１に埋没固定されるアンカーボルト２４が着脱自在に螺挿され、上部のナット２３に土台２の貫通孔３を貫通する六角ボルト２５が着脱自在に螺挿される。
【００２０】
上記構成において、建設中の個人住宅に免震パッドを設置する場合には、先ず、未硬化
の基礎１の長手方向に複数の免震パッドを所定の間隔をおき搭載して各免震パッドのアン
カーボルト２４を基礎１に埋没させ、基礎１を養生させて基礎１と複数のアンカーボルト
２４とを一体化し、その後、土台２に穿孔しておいた貫通孔３に六角ボルト２５を挿入し
て上方のナット２３にきつく螺挿すれば、免震パッドを設置することができる。
【００２１】
個人住宅の完成後、地震が発生して基礎１が振動すると、上下方向に長く伸びるアンカ
ーボルト２４と六角ボルト２５とが土台２の浮き上がりを抑制し、積層体１０の柔軟な免
震ゴム１２が個人住宅の荷重を支持しつつ、柔らかくせん断変形して個人住宅に加わる横
揺れを有効に減衰吸収する。
【００２２】
上記構成によれば、構成の簡易な免震パッドを並べるだけで十分な免震対策を施すこと
ができるので、工事の省力化や構成の簡素化を図ることができる。また従来、免震用に要
した数百万円のコストを８０万円以下、条件次第では５０万円以下の安価にでき、コスト
削減を通じて個人住宅建設や購入意欲を萎縮させることなく優れた免震構造を実現するこ
とができる。また、一対の免震マット１１間に複数の球体１５が積層されるので、縦荷重
を支持して積層体１０が必要以上に圧縮するのを防ぐことができ、しかも、地震エネルギ
の減衰が大いに期待できる。
【００２３】
また、ワイヤ２２の補強機能により、地震に伴いゴム柱２１が水平方向に必要以上に変
形して損傷するのを有効に防ぐことが可能になる。また、免震ゴム１２と補強板１３とが
積層構造なので、鉛直剛性が大きく、大きな荷重を支持することができ、しかも、水平方
向にはゴム特有の柔らかい剛性と大変形性を得ることが可能になる。
【００２４】
また、アンカーボルト２４や六角ボルト２５が固定ではなく、着脱自在なので、輸送時
や運搬時の便宜を図ることができる他、必要に応じてボルトの長さを長くしたり、短くし
て作業の便宜を図ることができる。さらに、積層体１０にアンカーボルト２４用の通し孔
を穿孔する必要が全くないので、免震パッドの構成の簡素化や製造の容易化が大いに期待
できる。
【００２５】
次に、図５〜図７（ａ）、（ｂ）は本発明の第２の実施形態を示すもので、この場合に
は、ゴム柱２１を円筒形に成形してその内部には複数のロックブロック２６を上下方向に
スライド可能に積層し、各ロックブロック２６の上部に被嵌合穴２７を穿孔するとともに
、各ロックブロック２６の下部から突部２８を突出させ、この突部２８には複数の係止爪
２９を出没可能に設けるようにしている。
【００２６】
複数のロックブロック２６は、上下一対のナット２３の間に縦一列に配列して介在され
る。各ロックブロック２６は、円板形に形成され、上部中心に、断面略凸字形の被嵌合穴
２７が穿孔されており、下部中心に、下方のロックブロック２６の被嵌合穴２７に着脱自
在に遊嵌する突部２８が円柱形に形成される。
【００２７】
各係止爪２９は、例えば台形の板に形成され、突部２８の先端部周方向に切り欠かれた
溝孔に引張りバネ等を介して支持されており、地震の未発生時（通常時）には半径外方向
に突出するとともに、被嵌合穴２７内の段差部に係止して上下のロックブロック２６を連
結するよう機能する（図７（ａ）参照）。これに対し、地震の発生時にはロックが外れて
半径内方向に退没し、接触した上下のロックブロック２６の連結を解除して各ロックブロ
ック２６の上下方向への離隔を許容する（図７（ｂ）参照）。
【００２８】
各係止爪２９がどの程度の強さの地震、強風、台風により退没せず、どの程度の大きさ
の地震により退没するかは、引張りバネの材質、長さ、太さ、本数等を調整することによ
り決定される。その他の部分については、上記実施形態と同様であるので説明を省略する
。
【００２９】
本実施形態においても上記実施形態と同様の作用効果が期待でき、しかも、地震の発生
時に複数のロックブロック２６の連結を自動的に解除して柱体２０の変形を容易にするの
で、地震に伴う横揺れを有効に抑制することができるのは明らかである。
【００３０】
なお、上記実施形態の積層体１０は、必要に応じ、平面矩形、多角形、円形、楕円形等
に形成することができる。また、複数の補強板１３は、その一部の補強板１３の厚さを厚
くしたり、残部の補強板１３を薄くすることができる。また、収納穴１４の内部上下方向
を複数の空間に区画することなく、単数複数の球体１５を内蔵しても良い。
【００３１】
また、ゴム柱２１の露出した下部外周面にエンドレスの溝を周方向に形成し、この溝に
未硬化のコンクリートを充填すれば、基礎１との強固な連結固定が期待できる。また、ゴ
ム柱２１と一体化したワイヤ２２を相互に絡み合わせてメッシュ構造等にしても良いし、
そうでなくても良い。さらに、必要に応じてワイヤ２２を省略することができる。さらにまた、図５〜図７のゴム柱２１から複数のロックブロック２６を取り除き、このゴム柱２１を中空にしたり、中実に形成することもできる。
【図面の簡単な説明】
【００３２】
【図１】本発明に係る住宅用の免震パッドの実施形態を示す断面全体説明図である。
【図２】本発明に係る住宅用の免震パッドの実施形態を示す分解斜視図である。
【図３】本発明に係る住宅用の免震パッドの実施形態における免震パッドの設置状態を示す断面説明図である。
【図４】本発明に係る住宅用の免震パッドの実施形態における柱体等を示す説明図である。
【図５】本発明に係る住宅用の免震パッドの第２の実施形態における免震パッドの設置状態を示す断面説明図である。
【図６】本発明に係る住宅用の免震パッドの第２の実施形態における免震パッドを示す説明図である。
【図７】本発明に係る住宅用の免震パッドの第２の実施形態における複数のロックブロックを示す図で、（ａ）図は複数のロックブロックの連結状態を示す説明図、（ｂ）図は複数のロックブロックの連結解除状態を示す説明図である。
【符号の説明】
【００３３】
１          基礎
２          土台
１０        積層体
１１        免震マット
１２        免震ゴム
１３        補強板
１４        収納穴
１５        球体
２０        柱体
２１        ゴム柱（弾性柱体）
２２        ワイヤ
２３        ナット（締結具、雌螺子部材）
２４        アンカーボルト（締結具）
２５        六角ボルト（締結具、雄螺子部材）
２６        ロックブロック
２７        被嵌合穴
２８        突部
２９        係止爪
【図１】
2006118326.tif 000003
【図２】
2006118326.tif 000004
【図３】
2006118326.tif 000005
【図４】
2006118326.tif 000006
【図５】
2006118326.tif 000007
【図６】
2006118326.tif 000008
【図７】
2006118326.tif 000009